(57)【要約】【課題】複数の蒸発器の冷却能力を比較的簡便に個別に調節できるようにする。【解決手段】冷媒回路には、蒸発器のガス側端部と、圧縮機の複数の吸入ポートとを分岐して接続するように分岐回路が設けられる。分岐回路には、蒸発器のガス側端部と、各吸入ポートとの連通状態を切り換え可能とする切換機構が設けられる。【選択図】図３
2010014338.tif 000002
【特許請求の範囲】
【請求項１】
吸入圧力が異なる複数の吸入ポート（38,39）を有する圧縮機（31）と、該圧縮機（31）の各吸入ポート（38,39）とそれぞれ繋がる複数の蒸発器（52,62）とを有する冷媒回路（11）を備え、複数の蒸発器（52,62）で蒸発圧力が互いに異なる冷凍サイクルを実行可能に構成されている冷凍装置であって、
上記冷媒回路（11）には、上記複数の蒸発器（52,62）のうちの少なくとも１つの蒸発器（52,62）のガス側端部を上記複数の吸入ポート（38,39）に分岐して接続するように分岐回路（70,80）が設けられ、
上記分岐回路（70,80）には、対応する蒸発器（52,62）のガス側端部と各吸入ポート（38,39）との連通状態を切り換える切換機構（73,83,78,88）が設けられていることを特徴とする冷凍装置。
【請求項２】
請求項１において、
上記複数の吸入ポート（38,39）は、低圧の冷媒が流入する第１吸入ポート（38）と、該低圧冷媒よりも高い圧力の中間圧の冷媒が流入する第２吸入ポート（39）とで構成され、
上記分岐回路（70,80）は、上記蒸発器（52,62）のガス側端部を上記第１吸入ポート（38）と繋ぐ低圧側導入管（71,81）と、上記蒸発器（52,62）のガス側端部を上記第２吸入ポート（39）と繋ぐ中間圧側導入管（72,81）とを備え、
上記切換機構（73,83,78,88）は、上記低圧側導入管（71,81）を開閉可能な切換弁（73,83,78,88）で構成されていることを特徴とする冷凍装置。
【請求項３】
請求項２において、
上記切換弁は、上記低圧側導入管（71,81）の流入部（71a,81a）と繋がる第１ポートと、該低圧側導入管（71,81）の流出部（71b,81b）と繋がる第２ポートと、圧縮機（31）の吐出側と繋がる第３ポートと、閉塞部（76,86）によって閉塞される第４ポートとを有して、第１ポートと第２ポートとを連通させると同時に第３ポートと第４ポートを連通させる状態と、第１ポートと第３ポートとを連通させると同時に第２ポートと第４ポートとを連通させる状態とに切り換え可能な四路切換弁（73,83）で構成され、
上記低圧側導入管（71,81）の流入部（71a,81a）には、上記蒸発器（52,62）のガス側端部側への冷媒の流れを禁止する逆流防止機構（CV-1,CV-3）が設けられていることを特徴とする冷凍装置。
【請求項４】
請求項１乃至３のいずれか１つにおいて、
上記冷媒回路（11）には、上記複数の蒸発器（52,62）に対応するように複数の上記分岐回路（70,80）が設けられていることを特徴とする冷凍装置。
【請求項５】
請求項１乃至４のいずれか１つにおいて、
上記蒸発器（52,62）の冷却負荷を導出する冷却負荷導出手段（54,64,91,92）を更に備え、
上記切換機構（73,83,78,88）は、上記冷却負荷導出手段（54,64,91,92）で導出した蒸発器（52,62）の冷却負荷に応じて、該蒸発器（52,62）に対応する分岐回路（70,80）の連通状態を切り換えるように構成されていることを特徴とする冷凍装置。
【発明の詳細な説明】
【技術分野】
【０００１】
本発明は、冷凍サイクルを行う冷媒回路を備えた冷凍装置に関し、特に複数の蒸発器で冷媒を異温度蒸発させる冷凍サイクルが可能な冷凍装置に係るものである。
【背景技術】
【０００２】
従来より、冷媒が循環して冷凍サイクルを行う冷凍装置が知られており、冷蔵庫や冷凍庫等の庫内の冷却や、室内の空調等に広く利用されている。
【０００３】
例えば特許文献１には、この種の冷凍装置として、圧縮機に複数の吸入ポートが設けられ、これらの吸入ポートに蒸発器が個別に接続されたものが開示されている。この冷凍装置は、冷媒が循環して冷凍サイクルを行う冷媒回路を有している。冷媒回路には、圧縮機、熱源側熱交換器、膨張弁、複数の利用側熱交換器等が設けられている。圧縮機には、低圧の冷媒が流入する低圧ポート（第１吸入ポート）と、中間圧の冷媒が流入する中間圧ポート（第２吸入ポート）とが設けられている。つまり、圧縮機では、吸入圧力が異なる２つの吸入ポートが設けられ、低圧ポートの吸入圧力よりも中間圧ポートの吸入圧力が高くなっている。
【０００４】
上記複数の蒸発器は、上記低圧ポートと繋がる第１蒸発器と、中間圧ポートと繋がる第２蒸発器とを有している。これにより、第１蒸発器の蒸発圧力は、第２蒸発器の蒸発圧力よりも低くなり、いわゆる異温度蒸発での冷凍サイクルが可能となっている。即ち、この異温度蒸発での冷凍サイクルでは、第１蒸発器の冷媒の蒸発温度が、第２蒸発器の冷媒の蒸発温度よりも低くなっている。このため、この冷凍装置では、第１蒸発器で例えば冷蔵庫等の庫内を冷却すると同時に、第２蒸発器で例えば室内の空気を冷却する運転が可能となっている。
【特許文献１】特開２００８−２７１１号公報
【発明の開示】
【発明が解決しようとする課題】
【０００５】
上述のように、異なる吸入圧力の複数の吸入ポートに蒸発器のガス側端部をそれぞれ繋げることで、複数の蒸発器で冷媒を異なる温度で蒸発させることができる。ところが、この種の冷凍装置では、各蒸発器の冷却能力を個別に調節することが困難となる。
【０００６】
具体的には、上記の冷凍装置では、各蒸発器での冷媒の蒸発圧力が圧縮機の低圧側／中間圧側の吸入圧力によって概ね決定される。このため、各蒸発器の蒸発圧力を個別に変更することが難しく、よって各蒸発器の冷却能力を個別に制御することも困難となる。また、いわゆるインバータ式の圧縮機の運転周波数を変更することで、圧縮機の容量を調節することも考えられる。しかしながら、例えば１つの蒸発器の冷却能力を調節するために圧縮機の容量を変更すると、これに付随して他の蒸発器の冷却能力も変化してしまう。従って、このように圧縮機の容量を可変とした場合にも、蒸発器の冷却能力を個別に制御することは困難となる。
【０００７】
本発明は、かかる点に鑑みてなされたものであり、吸入圧力が異なる吸入ポートにそれぞれ蒸発器を繋げ、各蒸発器で蒸発圧力が異なる冷凍サイクルを可能とする冷凍装置において、比較的簡便に、蒸発器の冷却能力を個別に変更できるようにすることである。
【課題を解決するための手段】
【０００８】
第１の発明は、吸入圧力が異なる複数の吸入ポート（38,39）を有する圧縮機（31）と、該圧縮機（31）の各吸入ポート（38,39）とそれぞれ繋がる複数の蒸発器（52,62）とを有する冷媒回路（11）を備え、複数の蒸発器（52,62）で蒸発圧力が互いに異なる冷凍サイクルを実行可能に構成されている冷凍装置を対象とする。そして、この冷凍装置は、上記冷媒回路（11）に、上記複数の蒸発器（52,62）のうちの少なくとも１つの蒸発器（52,62）のガス側端部を上記複数の吸入ポート（38,39）に分岐して接続するように分岐回路（70,80）が設けられ、該分岐回路（70,80）には、対応する蒸発器（52,62）のガス側端部と各吸入ポート（38,39）との連通状態を切り換える切換機構（73,83,78,88）が設けられていることを特徴とするものである。
【０００９】
第１の発明では、圧縮機（31）に吸入圧力が異なる複数の吸入ポート（38,39）が設けられる。冷媒回路（11）には、蒸発器（52,62）のガス側端部を上記の複数の吸入ポート（38,39）に分岐して接続するように分岐回路（70,80）が設けられる。分岐回路（70,80）では、切換機構（73,83,78,88）によって、蒸発器（52,62）のガス側端部と圧縮機（31）の各吸入ポート（38,39）との連通状態が切り換え可能となっている。そして、本発明の冷凍装置では、切換機構（73,83,78,88）の切り換えに伴い蒸発器（52,62）の冷却能力が可変となっている。
【００１０】
具体的には、分岐回路（70,80）において、例えば複数の吸入ポート（42,43）のうち吸入圧力が低い吸入ポート（38）と、蒸発器（52,62）のガス側端部とを連通させる状態とする。この場合には、蒸発器（52,62）での冷媒の蒸発圧力が比較的低くなるので、冷媒の蒸発温度も低くなり、蒸発器（52,62）の冷却能力が大きくなる。一方、分岐回路（70,80）において、例えば複数の吸入ポート（42,43）のうち吸入圧力が高い吸入ポート（39）と、蒸発器（52,62）のガス側端部とを連通させる状態とする。この場合には、蒸発器（52,62）での冷媒の蒸発圧力が比較的高くなるので、冷媒の蒸発温度も高くなり、蒸発器（52,62）の冷却能力が小さくなる。
【００１１】
以上のように、本発明では、蒸発器（52,62）のガス側端部と圧縮機（31）の各吸入ポート（38,39）との連通状態を切換機構（73,83,78,88）によって切り換えることで、蒸発器（52,62）の蒸発圧力、ひいては蒸発器（52,62）の冷却能力が変更可能となる。
【００１２】
第２の発明は、第１の発明において、上記複数の吸入ポート（38,39）は、低圧の冷媒が流入する第１吸入ポート（38）と、該低圧冷媒よりも高い圧力の中間圧の冷媒が流入する第２吸入ポート（39）とで構成され、上記分岐回路（70,80）は、上記蒸発器（52,62）のガス側端部を上記第１吸入ポート（38）と繋ぐ低圧側導入管（71,81）と、上記蒸発器（52,62）のガス側端部を上記第２吸入ポート（39）と繋ぐ中間圧側導入管（72,82）とを備え、上記切換機構（73,83,78,88）は、上記低圧側導入管（71,81）を開閉可能な切換弁（73,83,78,88）で構成されていることを特徴とするものである。
【００１３】
第２の発明では、圧縮機（31）に第１吸入ポート（38）と第２吸入ポート（39）とが設けられる。第１吸入ポート（38）は、第２吸入ポート（39）よりも吸入圧力が低くなっている。第１吸入ポート（38）には、分岐回路（70,80）の低圧側導入管（71,81）が接続し、第２吸入ポート（39）には、分岐回路（70,80）の中間圧側導入管（72,82）が接続している。本発明では、低圧側導入管（71,81）の切換弁（73,83,78,88）を開閉することで、分岐回路（70,80）の連通状態が切り換えられる。
【００１４】
具体的には、切換弁（73,83,78,88）を開放状態とすると、蒸発器（52,62）のガス側端部と第１吸入ポート（38）とが、低圧側導入管（71,81）を通じて連通する。一方、蒸発器（52,62）のガス側端部と第２吸入ポート（39）とは、中間圧側導入管（72,82）を通じて連通したままである。この状態では、蒸発器（52,62）で蒸発した後のガス冷媒が、圧力の低い低圧側導入管（71,81）へ送られて圧縮機（31）の第１吸入ポート（38）に吸入される。このため、蒸発器（52,62）の蒸発圧力は、第１吸入ポート（38）の吸入圧力と概ね等しくなり、比較的低い圧力となる。その結果、蒸発器（52,62）の冷却能力は比較的大きくなる。
【００１５】
一方、切換弁（73,83,78,88）を閉鎖状態とすると、蒸発器（52,62）のガス側端部と第１吸入ポート（38）とが遮断される一方、蒸発器（52,62）のガス側端部と第２吸入ポート（39）が中間圧側導入管（72,82）を通じて連通する。この状態では、蒸発器（52,62）で蒸発した後のガス冷媒が、中間圧側導入管（72,82）へ送られて圧縮機（31）の第２吸入ポート（39）に吸入される。このため、蒸発器（52,62）の蒸発圧力は、第２吸入ポート（39）の吸入圧力と概ね等しくなり、比較的高い圧力となる。その結果、蒸発器（52,62）の冷却能力は比較的小さくなる。
【００１６】
以上のように、本発明では、低圧側導入管（71,81）の切換弁（73,83,78,88）の開閉状態を切り換えるだけで、蒸発器（52,62）の蒸発圧力、ひいては冷却能力が変更可能となる。
【００１７】
第３の発明は、第２の発明において、上記低圧側導入管（71,81）の流入部（71a,81a）と繋がる第１ポートと、該低圧側導入管（71,81）の流出部（71b,81b）と繋がる第２ポートと、圧縮機（31）の吐出側と繋がる第３ポートと、閉塞部（76,86）によって閉塞される第４ポートとを有して、第１ポートと第２ポートとを連通させると同時に第３ポートと第４ポートを連通させる状態と、第１ポートと第３ポートとを連通させると同時に第２ポートと第４ポートとを連通させる状態とに切り換え可能な四路切換弁（73,83）で構成され、上記低圧側導入管（71,81）の流入部（71a,81a）には、上記蒸発器（52,62）のガス側端部側への冷媒の流れを禁止する逆流防止機構（CV-1,CV-3）が設けられていることを特徴とするものである。
【００１８】
第３の発明の低圧側導入管（71,81）には、第１から第４までのポートを有する四路切換弁（73,83）が設けられる。四路切換弁（73,83）の状態を第１ポートと第２ポートとを連通させると同時に第３ポートと第４ポートを連通させる状態とすると、蒸発器（52,62）のガス側端部が、低圧側導入管（71,81）を通じて圧縮機（31）の第１吸入ポート（38）と連通する。つまり、この状態では、低圧側導入管（71,81）が開放状態となる。このため、上述のように蒸発器（52,62）の蒸発圧力が第１吸入ポート（38）の吸入圧力と概ね等しくなり、蒸発器（52,62）の冷却能力が比較的大きくなる。
【００１９】
一方、四路切換弁（73,83）の状態を第１ポートと第３ポートとを連通させると同時に第２ポートと第４ポートを連通させる状態とすると、蒸発器（52,62）のガス側端部と圧縮機（31）の第１吸入ポート（38）とが遮断される。つまり、この状態では、低圧側導入管（71,81）が閉鎖状態となる一方、蒸発器（52,62）のガス側端部が中間圧側導入管（72,82）を通じて圧縮機（31）の第２吸入ポート（39）と連通する。このため、上述のように蒸発器（52,62）の蒸発圧力が第２吸入ポート（39）の吸入圧力と概ね等しくなり、蒸発器（52,62）の冷却能力が比較的小さくなる。
【００２０】
また、本発明では、四路切換弁（73,83）の第３ポートに圧縮機（31）の吐出側の高圧冷媒の圧力が作用する。このため、この高圧冷媒の圧力を四路切換弁（73,83）の駆動源として利用することができる。一方、四路切換弁（73,83）の第１ポートと第３ポートとを連通させると、圧縮機（31）の吐出側の高圧冷媒が低圧側導入管（71,81）の流入部（71a,81a）まで流れてしまう。しかしながら、低圧側導入管（71,81）の流入部（71a,81a）には、逆流防止機構（CV-1,CV-3）が設けられているので、該流入部（71a,81a）内の高圧冷媒が、蒸発器（52,62）や中間圧側導入管（72,82）へ流れ込んでしまうことがない。
【００２１】
第４の発明は、第１乃至第３のいずれか１つの発明において、上記冷媒回路（11）には、上記複数の蒸発器（52,62）に対応するように複数の上記分岐回路（70,80）が設けられていることを特徴とするものである。
【００２２】
第４の発明の冷媒回路（11）には、複数の蒸発器（52,62）に対応して複数の分岐回路（70,80）が設けられる。このため、本発明では、各蒸発器（52,62）の冷却能力がそれぞれ個別に変更可能となる。
【００２３】
第５の発明は、第１乃至第４のいずれか１つの発明において、上記蒸発器（52,62）の冷却負荷を導出する冷却負荷導出手段（54,64,91,92）を更に備え、上記切換機構（73,83,78,88）は、上記冷却負荷導出手段（54,64,91,92）で導出した蒸発器（52,62）の冷却負荷に応じて、該蒸発器（52,62）に対応する分岐回路（70,80）の連通状態を切り換えるように構成されていることを特徴とするものである。
【００２４】
第５の発明では、冷却負荷導出手段（54,64,91,92）が、蒸発器（52,62）の冷却負荷を導出する。そして、上記切換機構（73,83,78,88）は、冷却負荷導出手段（54,64,91,92）で導出した蒸発器（52,62）の冷却負荷に応じて、分岐回路（70,80）の連通状態を切り換える。つまり、本発明では、蒸発器（52,62）の冷却負荷に応じて自動的に分岐回路（70,80）の連通状態が切り換えられて、蒸発器（52,62）の冷却能力が調節される。
【発明の効果】
【００２５】
本発明では、蒸発器（52,62）のガス側端部と圧縮機（31）の複数の吸入ポート（38,39）とを、分岐回路（70,80）で接続し、蒸発器（52,62）のガス側端部と複数の吸入ポート（38,39）との連通状態を切換機構（73,83,78,88）によって切り換え可能としている。これにより、本発明によれば、蒸発器（52,62）と繋がる吸入ポート（38,39）の吸入圧力に応じて、この蒸発器（52,62）の蒸発圧力を適宜変更することができる。従って、対象とする蒸発器（52,62）の冷却能力をだけを個別に、且つ簡便に調節することができる。
【００２６】
第２の発明では、吸入圧力が低い方の第１吸入ポート（38）に繋がる低圧側導入管（71,81）に上記切換機構としての切換弁（73,83,78,88）を設け、低圧側導入管（71,81）を開閉するようにしている。これにより、本発明によれば、比較的単純な構成により、蒸発器（52,62）の蒸発圧力を変更することができ、分岐回路（70,80）の簡素化を図ることができる。
【００２７】
第３の発明によれば、四路切換弁（73,83）の４つのポートの連通状態を切り換えることで、蒸発器（52,62）の蒸発圧力を適宜変更することができる。また、第４の発明によれば、複数の蒸発器（52,62）に対応するように複数の分岐回路（70,80）を設けたので、各蒸発器（52,62）の蒸発圧力を個別に変更させて各蒸発器（52,62）の冷却能力を個別に調節することができる。更に、第５の発明では、蒸発器（52,62）の冷却負荷に応じて、蒸発器（52,62）の冷却能力を自動的に調節することができる。
【発明を実施するための最良の形態】
【００２８】
以下、本発明の実施形態を図面に基づいて詳細に説明する。
【００２９】
本発明の実施形態に係る冷凍装置（10）は、冷媒が循環して冷凍サイクルを行う冷媒回路（11）を備え、冷蔵庫内の冷却や冷凍庫内の冷却を行うように構成されている。
【００３０】
〈冷凍装置の全体構成〉
図１に示すように、冷凍装置（10）は、室外ユニット（30）と冷蔵ユニット（50）と冷凍ユニット（60）とを備えている。室外ユニット（30）は、室外に配置されて熱源側ユニットを構成している。室外ユニット（30）には、冷媒の流路として熱源側回路（13）が設けられている。冷蔵ユニット（50）は、室内に配置されて第１の利用側ユニットを構成している。冷蔵ユニット（50）には、冷媒の流路として第１利用側回路（15）が設けられている。冷凍ユニット（60）は、室内に配置されて第２の利用側ユニットを構成している。冷凍ユニット（60）には、冷媒の流路として第２利用側回路（16）が設けられている。
【００３１】
冷凍装置（10）では、室外ユニット（30）と冷蔵ユニット（50）と冷凍ユニット（60）とが、液側連絡配管（20,21a,21b）とガス側連絡配管（22,23）とによって連結されている。具体的に、液側連絡配管は、主液管（20）と第１液分岐管（21a）と第２液分岐管（21b）とで構成されている。主液管（20）は、一端が熱源側回路（13）の液側閉鎖弁（25）に接続し、他端側が上記第１液分岐管（21a）と第２液分岐管（21b）とに分岐している。第１液分岐管（21a）は、一端が主液管（20）の分岐端に接続し、他端が冷蔵ユニット（50）の第１利用側回路（15）に接続している。第２液分岐管（21b）は、一端が主液管（20）の分岐端に接続し、他端が冷凍ユニット（60）の第２利用側回路（16）に接続している。また、ガス側連絡配管は、第１ガス管（22）と第２ガス管（23）とで構成されている。第１ガス管（22）は、一端が熱源側回路（13）の第１ガス側閉鎖弁（26）に接続し、他端が冷蔵ユニット（50）の第１利用側回路（15）に接続している。第２ガス管（23）は、一端が熱源側回路（13）の第２ガス側閉鎖弁（27）に接続し、他端が冷凍ユニット（60）の第２利用側回路（16）に接続している。
【００３２】
以上のように、冷凍装置（10）では、熱源側回路（13）に対して第１利用側回路（15）及び第２利用側回路（16）が並列に接続され、これにより冷媒回路（11）が構成されている。
【００３３】
〈室外ユニットの概略の構成〉
室外ユニット（30）の熱源側回路（13）には、圧縮機（31）と室外熱交換器（45）とが設けられている。また、熱源側回路（13）には、詳細は後述する第１分岐回路（70）及び第２分岐回路（80）が設けられている。
【００３４】
圧縮機（31）は、可変容量型の圧縮機を構成している。つまり、圧縮機（31）は、インバータ制御によって運転周波数（回転速度）が可変に構成されている。圧縮機（31）は、ケーシング（32）と、該ケーシング（32）内に収容されて冷媒を圧縮する圧縮機構（33）とを有している（図２を参照）。圧縮機構（33）は、容積型のスクロール式の圧縮機構を構成している。つまり、圧縮機構（33）では、ケーシング（32）に固定される渦巻き状の固定スクロール（34）に対して、渦巻き状の可動スクロール（35）が偏心しながら旋回運動を行うことで、両スクロール（34,35）の間の圧縮室（36）で冷媒が圧縮される。なお、圧縮機構（33）としてロータリー式の圧縮機構や、スイング式の圧縮機構等を採用しても良い。
【００３５】
図２に示すように、圧縮機構（33）には、１つの吐出ポート（37）と２つの吸入ポート（38,39）とが形成されている。吐出ポート（37）は、固定スクロール（34）の中心に形成され、圧縮室（36）における圧縮行程の終了位置に開口している。吐出ポート（37）からは、圧縮室（36）で高圧にまで圧縮された冷媒が流出する。上記２つの吸入ポートは、低圧ポート（38）と中間圧ポート（39）とで構成されている。低圧ポート（38）は、固定スクロール（34）の最外周側寄りに形成され、圧縮室（36）における吸入行程の開始位置に開口している。低圧ポート（38）には、低圧の冷媒が流入する。中間圧ポート（39）は、上記吐出ポート（37）よりも外周側寄り、且つ低圧ポート（38）よりも内周側寄りに形成され、圧縮室（36）における圧縮行程の途中の位置に開口している。中間圧ポート（39）には、上記低圧冷媒と高圧冷媒との間の圧力となる中間圧の冷媒が流入する。つまり、圧縮機（31）では、２つの吸入ポートの吸入圧力が異なる圧力となっており、吸入圧力の低い低圧ポート（38）が第１の吸入ポートを構成し、この第１吸入ポートよりも吸入圧力の高い中間圧ポート（39）が第２の吸入ポートを構成している。
【００３６】
圧縮機構（33）には、吐出管（41）と低圧側吸入管（42）と中間圧側吸入管（43）とが接続されている。吐出管（41）は、流入端がケーシング（32）の内部空間に開口している。つまり、圧縮機構（33）の吐出ポート（37）は、ケーシング（32）の内部空間を通じて吐出管（41）と連通している。これにより、圧縮機（31）のケーシング（32）の内部空間は、高圧冷媒で満たされている。即ち、圧縮機（31）は、いわゆる高圧ドーム式に構成されている。低圧側吸入管（42）は、圧縮機構（33）の低圧ポート（38）に直に接続している。中間圧側吸入管（43）は、圧縮機構（33）の中間圧ポート（39）に直に接続している。
【００３７】
上記室外熱交換器（45）は、クロスフィン式のフィン・アンド・チューブ型熱交換器であって、熱源側熱交換器を構成している。室外熱交換器（45）の近傍には、室外ファン（46）が設けられている。室外熱交換器（45）では、その内部を流れる冷媒と室外ファン（46）によって送風される空気とが熱交換する。
【００３８】
室外ユニット（30）には、吐出冷媒温度センサ（47）と室外空気温度センサ（48）と出口冷媒温度センサ（49）とが設けられている。吐出冷媒温度センサ（47）は、吐出管（41）に設けられ、圧縮機（31）から吐出された高圧冷媒（吐出冷媒）の温度を検出する。室外空気温度センサ（48）は、室外ファン（46）の近傍に設けられ、室外空気の温度を検出する。出口冷媒温度センサ（49）は、室外熱交換器（45）の液側端部の近傍に設けられ、高圧の液冷媒の温度を検出する。
【００３９】
〈冷蔵ユニットの構成〉
冷蔵ユニット（50）の第１利用側回路（15）には、液側端部からガス側端部に向かって順に、第１膨張弁（51）と冷蔵用熱交換器（52）とが設けられている。第１膨張弁（51）は、開度が可変の電子膨張弁で構成されている。冷蔵用熱交換器（52）は、クロスフィン式のフィン・アンド・チューブ型熱交換器であって、第１の利用側熱交換器を構成している。また、冷蔵用熱交換器（52）は、冷蔵ユニット（50）の冷蔵庫内を冷却するための第１の蒸発器を構成している。
【００４０】
また、冷蔵ユニット（50）には、第１庫内ファン（53）と第１吸込空気温度センサ（54）とが設けられている。第１庫内ファン（53）は、冷蔵用熱交換器（52）に向かって庫内の空気を送風する送風手段を構成している。冷蔵用熱交換器（52）では、内部を流れる空気と第１庫内ファン（53）によって送風される冷蔵庫内の空気とが熱交換する。第１吸込空気温度センサ（54）は、冷蔵用熱交換器（52）の上流側（吸込側）の庫内空気の温度を検出する。
【００４１】
〈冷凍ユニットの構成〉
冷凍ユニット（60）の第２利用側回路（16）には、液側端部からガス側端部に向かって順に、第２膨張弁（61）と冷凍用熱交換器（62）とが設けられている。第２膨張弁（61）は、開度が可変の電子膨張弁で構成されている。冷凍用熱交換器（62）は、クロスフィン式のフィン・アンド・チューブ型熱交換器であって、第２の利用側熱交換器を構成している。また、冷凍用熱交換器（62）は、冷凍ユニット（60）の冷凍庫内を冷却するための第２の蒸発器を構成している。
【００４２】
また、冷凍ユニット（60）には、第２庫内ファン（63）と第２吸込空気温度センサ（64）とが設けられている。第２庫内ファン（63）は、冷凍用熱交換器（62）に向かって庫内の空気を送風する送風手段を構成している。冷凍用熱交換器（62）では、内部を流れる空気と第２庫内ファン（63）によって送風される冷凍庫内の空気とが熱交換する。第２吸込空気温度センサ（64）は、冷凍用熱交換器（62）の上流側（吸込側）の庫内空気の温度を検出する。
【００４３】
〈分岐回路の構成〉
上述したように、熱源側回路（13）には第１と第２の分岐回路（70,80）が設けられている。第１分岐回路（70）は、第１ガス側閉鎖弁（26）と圧縮機（31）の吸入側との間に設けられ、第２分岐回路（80）は、第２ガス側閉鎖弁（27）と圧縮機（31）の吸入側との間に設けられている。
【００４４】
第１分岐回路（70）には、第１ガス側閉鎖弁（26）から分岐するように第１低圧側導入管（71）と第１中間圧側導入管（72）とが設けられている。第１低圧側導入管（71）は、流入端が第１ガス側閉鎖弁（26）の分岐端に接続し、流出端が上記低圧側吸入管（42）に接続している。第１中間圧側導入管（72）は、流入端が第１ガス側閉鎖弁（26）の分岐端に接続し、流出端が上記中間圧側吸入管（43）に接続している。以上のように、第１分岐回路（70）は、冷蔵用熱交換器（52）のガス側端部を圧縮機（31）の低圧ポート（38）及び中間圧ポート（39）に分岐して接続するように構成されている。
【００４５】
第１分岐回路（70）では、第１低圧側導入管（71）の途中に第１四路切換弁（73）が設けられている。つまり、第１低圧側導入管（71）は、流入部を構成する第１流入管（71a）と流出部を構成する第１流出管（71b）とによって構成され、第１流入管（71a）と第１流出管（71b）との間に上記第１四路切換弁（73）が設けられている。
【００４６】
第１四路切換弁（73）は、冷蔵用熱交換器（52）のガス側端部と、圧縮機（31）の低圧ポート（38）及び中間圧ポート（39）との連通状態を切り換えるための切換機構を構成している。具体的には、第１四路切換弁（73）は、第１から第４までのポートを有している。第１四路切換弁（73）では、第１のポートが上記第１流入管（71a）を介して冷蔵用熱交換器（52）のガス側端部と連通し、第２のポートが第１流出管（71b）を介して圧縮機（31）の低圧ポート（38）と連通している。また、第１四路切換弁（73）では、第３のポートが第１吐出導通管（75）を介して圧縮機（31）の吐出管（41）と連通する一方、第４のポートは第１閉塞部（76）によって閉塞されている。つまり、第１四路切換弁（73）は、第４のポートが第１閉塞部（76）によって封止されることで、実質的には三路切換弁を構成している。第１四路切換弁（73）では、第１のポートと第２のポートが連通すると同時に第３のポートと第４のポートが連通する状態（図１の破線で示す状態）と、第１のポートと第３のポートが連通すると同時に第２のポートと第４のポートが連通する状態（図１の実線で示す状態）とに切換可能に構成されている。即ち、第１四路切換弁（73）は、冷蔵用熱交換器（52）のガス側端部と圧縮機（31）の低圧ポート（38）とを連通させる状態（図１の破線で示す状態）と、冷蔵用熱交換器（52）のガス側端部と圧縮機（31）の低圧ポート（38）とを遮断する状態（図１の実線で示す状態）とに切換可能に構成されている。
【００４７】
また、第１分岐回路（70）では、第１流入管（71a）に第１逆止弁（CV-1）が、第１中間圧側導入管（72）に第２逆止弁（CV-2）がそれぞれ設けられている。第１逆止弁（CV-1）は、第１四路切換弁（73）側から冷蔵用熱交換器（52）のガス側端部側への冷媒の流れを禁止する逆流防止機構を構成している。また、第２逆止弁（CV-2）は、圧縮機（31）の中間圧ポート（39）側から冷蔵用熱交換器（52）のガス側端部側への冷媒の流れを禁止している。
【００４８】
第２分岐回路（80）には、第２ガス側閉鎖弁（27）から分岐するように第２低圧側導入管（81）と第２中間圧側導入管（82）とが設けられている。第２低圧側導入管（81）は、流入端が第２ガス側閉鎖弁（27）の分岐端に接続し、流出端が上記低圧側吸入管（42）に接続している。第２中間圧側導入管（82）は、流入端が第２ガス側閉鎖弁（27）の分岐端に接続し、流出端が上記中間圧側吸入管（43）に接続している。以上のように、第２分岐回路（80）は、冷凍用熱交換器（62）のガス側端部を圧縮機（31）の低圧ポート（38）及び中間圧ポート（39）に分岐して接続するように構成されている。
【００４９】
第２分岐回路（80）では、第２低圧側導入管（81）の途中に第２四路切換弁（83）が設けられている。つまり、第２低圧側導入管（81）は、流入部を構成する第２流入管（81a）と流出部を構成する第２流出管（81b）とによって構成され、第２流入管（81a）と第２流出管（81b）との間に上記第２四路切換弁（83）が設けられている。
【００５０】
第２四路切換弁（83）は、冷凍用熱交換器（62）のガス側端部と、圧縮機（31）の低圧ポート（38）及び中間圧ポート（39）との連通状態を切り換えるための切換機構を構成している。具体的には、第２四路切換弁（83）は、第１から第４までのポートを有している。第２四路切換弁（83）では、第１のポートが上記第２流入管（81a）を介して冷凍用熱交換器（62）のガス側端部と連通し、第２のポートが第２流出管（81b）を介して圧縮機（31）の低圧ポート（38）と連通している。また、第２四路切換弁（83）では、第３のポートが第２吐出導通管（85）を介して圧縮機（31）の吐出管（41）と連通する一方、第４のポートは第２閉塞部（86）によって閉塞されている。つまり、第２四路切換弁（83）は、第４のポートが第２閉塞部（86）によって封止されることで、実質的には三方切換弁を構成している。第２四路切換弁（83）では、第１のポートと第２のポートが連通すると同時に第３のポートと第４のポートが連通する状態（図１の破線で示す状態）と、第１のポートと第３のポートが連通すると同時に第２のポートと第４のポートが連通する状態（図１の実線で示す状態）とに切換可能に構成されている。即ち、第１四路切換弁（73）は、冷凍用熱交換器（62）のガス側端部と圧縮機（31）の低圧ポート（38）とを連通させる状態（図１の破線で示す状態）と、冷凍用熱交換器（62）のガス側端部と圧縮機（31）の低圧ポート（38）とを遮断する状態（図１の実線で示す状態）とに切換可能に構成されている。
【００５１】
また、第２分岐回路（80）では、第２流入管（81a）に第３逆止弁（CV-3）が、第２中間圧側導入管（82）に第４逆止弁（CV-4）がそれぞれ設けられている。第３逆止弁（CV-3）は、第２四路切換弁（83）側から冷凍用熱交換器（62）のガス側端部側への冷媒の流れを禁止する逆流防止機構を構成している。また、第４逆止弁（CV-4）は、圧縮機（31）の中間圧ポート（39）側から冷凍用熱交換器（62）のガス側端部側への冷媒の流れを禁止している。
【００５２】
〈コントローラの構成〉
冷凍装置（10）は、コントローラ（90）を有している。コントローラ（90）は、冷凍装置（10）の運転を制御するものである。コントローラ（90）には、上述した各種のセンサの検出信号が入力される。そして、コントローラ（90）は、これらの検出信号に基づいて、上記の圧縮機（31）、各種のファン（46,54,64）、膨張弁（51,61）等を制御可能に構成されている。また、コントローラ（90）には、第１温度設定部（91）と第２温度設定部（92）と切換弁制御部（93）とを有している。
【００５３】
第１温度設定部（91）は、冷蔵ユニット（50）の冷蔵庫内の設定温度が入力可能に構成されている。つまり、第１温度設定部（91）には、ユーザー等が要望する冷蔵庫内の目標温度が設定される。コントローラ（90）では、第１温度設定部（91）の設定温度と、上記第１吸込空気温度センサ（54）で検出された吸込空気の温度（冷蔵庫内の温度）との差に基づいて、冷蔵用熱交換器（52）の冷却負荷（必要な冷却能力に相当）が導出される。つまり、第１温度設定部（91）及び第１吸込空気温度センサ（54）は、冷蔵用熱交換器（52）の冷却負荷を導出するための冷却負荷導出手段を構成している。
【００５４】
第２温度設定部（92）は、冷凍ユニット（60）の冷凍庫内の設定温度が入力可能に構成されている。つまり、第２温度設定部（92）には、ユーザー等が要望する冷凍庫内の目標温度が設定される。コントローラ（90）では、第２温度設定部（92）の設定温度と、上記第２吸込空気温度センサ（64）で検出された吸込空気の温度（冷凍庫内の温度）との差に基づいて、冷凍用熱交換器（62）の冷却負荷（必要な冷却能力に相当）が導出される。つまり、第２温度設定部（92）及び第２吸込空気温度センサ（64）は、冷凍用熱交換器（62）の冷却負荷を導出するための冷却負荷導出手段を構成している。
【００５５】
切換弁制御部（93）は、冷蔵用熱交換器（52）や冷凍用熱交換器（62）の冷却負荷に応じて、四路切換弁（73,83）の設定を切り換える制御手段を構成している。つまり、四路切換弁（73,83）は、庫内の冷却負荷に応じて、各分岐回路（70,80）の連通状態を切り換えるように構成されている。分岐回路（70,80）の切換動作の詳細は後述する。
【００５６】
−運転動作−
冷凍装置（10）では、冷蔵ユニット（50）の庫内を冷却すると同時に冷凍ユニット（60）の庫内を冷却する運転が可能となっている。この運転では、冷蔵ユニット（50）や冷凍ユニット（60）での冷却負荷（即ち、庫内空気と目標温度との温度差）に応じて、以下の第１から第３までの冷却動作が切り換えて行われる。
【００５７】
〈第１冷却動作〉
第１冷却動作は、冷凍ユニット（60）での冷却負荷が比較的大きい場合に実行される。つまり、第１冷却動作は、冷凍用熱交換器（62）の冷却能力が不足気味となる場合に実行される。
【００５８】
第１冷却動作では、第１四路切換弁（73）及び第２四路切換弁（83）が図３に示す状態に設定される。つまり、第１冷却動作では、冷蔵用熱交換器（52）のガス側端部と圧縮機（31）の中間圧ポート（39）とが連通し、且つ冷凍用熱交換器（62）のガス側端部と圧縮機（31）の低圧ポート（38）とが連通する状態となる。
【００５９】
この状態で圧縮機（31）が起動されると、圧縮機（31）で高圧にまで圧縮された冷媒が、吐出管（41）へ流出する。吐出管（41）を流れる冷媒は、室外熱交換器（45）を流れる。室外熱交換器（45）では、冷媒が室外空気へ放熱して凝縮する。室外熱交換器（45）で凝縮した冷媒は、液側連絡配管（20,21a,21b）を通じて冷蔵ユニット（50）及び冷凍ユニット（60）へ送られる。
【００６０】
冷蔵ユニット（50）の第１利用側回路（15）に流入した冷媒は、第１膨張弁（51）で中間圧まで減圧された後、冷蔵用熱交換器（52）を流れる。冷蔵用熱交換器（52）では、冷媒が冷蔵庫内の空気から吸熱して蒸発する。その結果、冷蔵ユニット（50）の冷蔵庫内が冷却される。第１冷却動作中の冷蔵ユニット（50）では、冷蔵用熱交換器（52）の冷媒の蒸発温度が例えば−５℃程度となり、庫内の空気が例えば５℃程度まで冷やされる。冷蔵用熱交換器（52）を流通した冷媒は、室外ユニット（30）の第１分岐回路（70）へ流入する。
【００６１】
第１分岐回路（70）では、第１四路切換弁（73）の第１ポートと第２ポートとが遮断されることで、第１低圧側導入管（71）が閉鎖状態となる。また、第１四路切換弁（73）の第１ポートと第３ポートとが連通することで、第１吐出導通管（75）から第１流入管（71a）の第１逆止弁（CV-1）に亘って高圧冷媒で満たされる。このため、第１分岐回路（70）に流入した冷媒は、第１流入管（71a）側に送り込まれず、第１中間圧側導入管（72）へ送られる。第１中間圧側導入管（72）を流出した冷媒は、中間圧側吸入管（43）及び中間圧ポート（39）を通じて圧縮機（31）の圧縮行程の途中へ吸入される。
【００６２】
冷凍ユニット（60）の第２利用側回路（16）に流入した冷媒は、第２膨張弁（61）で低圧まで減圧された後、冷凍用熱交換器（62）を流れる。冷凍用熱交換器（62）では、冷媒が冷凍庫内の空気から吸熱して蒸発する。その結果、冷凍ユニット（60）の冷凍庫内が冷却される。第１冷却動作中の冷凍ユニット（60）では、冷凍用熱交換器（62）の冷媒の蒸発温度が例えば−１０℃となり、庫内の空気が例えば−３℃程度まで冷やされる。つまり、第１冷却動作では、冷凍用熱交換器（62）の蒸発圧力が冷蔵用熱交換器（52）の蒸発圧力よりも低くなる。冷凍用熱交換器（62）を流通した冷媒は、室外ユニット（30）の第２分岐回路（80）へ流入する。
【００６３】
第２分岐回路（80）では、第２四路切換弁（83）の第１ポートと第２ポートとが連通し、第２低圧側導入管（81）が開放状態となる。これにより、第２中間圧側導入管（82）と第２低圧側導入管（81）とでは、第２低圧側導入管（81）の方が低い圧力となる。このため、第２分岐回路（80）へ流入した冷媒は、第２中間圧側導入管（82）側にほとんど送り込まれず、第２低圧側導入管（81）へ送られる。また、第２中間圧側導入管（82）には、上記の第４逆止弁（CV-4）が設けられている。このため、第１分岐回路（70）側の冷媒が、第１中間圧側導入管（72）を通じて第２分岐回路（80）側へ送り込まれることがない。第２低圧側導入管（81）を流出した冷媒は、低圧側吸入管（42）及び低圧ポート（38）を通じて圧縮機（31）の低圧側へ吸入される。
【００６４】
〈第２冷却動作〉
第２冷却動作は、冷凍ユニット（60）の冷却負荷が比較的小さい場合に実行される。つまり、第２冷却動作は、冷凍用熱交換器（62）の冷却能力が過剰である場合に実行される。
【００６５】
第２冷却動作では、第１四路切換弁（73）及び第２四路切換弁（83）が図４に示す状態に設定される。つまり、第２冷却動作では、冷蔵用熱交換器（52）のガス側端部と圧縮機（31）の中間圧ポート（39）とが連通し、且つ冷凍用熱交換器（62）のガス側端部と圧縮機（31）の中間圧ポート（39）とが連通する状態となる。
【００６６】
圧縮機（31）で圧縮された冷媒は、室外熱交換器（45）で凝縮した後、冷蔵ユニット（50）及び冷凍ユニット（60）へ送られる。冷蔵ユニット（50）では、冷媒が第１膨張弁（51）で中間圧まで減圧され、その後に冷蔵用熱交換器（52）で蒸発する。冷凍ユニット（60）では、冷媒が第２膨張弁（61）で中間圧まで減圧され、その後に冷凍用熱交換器（62）で蒸発する。第２冷却動作では、冷蔵用熱交換器（52）及び冷凍用熱交換器（62）の蒸発温度（蒸発圧力）がほぼ等しくなる。冷蔵用熱交換器（52）で蒸発した冷媒は、第１分岐回路（70）へ流入し、冷凍用熱交換器（62）で蒸発した冷媒は、第２分岐回路（80）へ流入する。
【００６７】
第２分岐回路（80）では、第２四路切換弁（83）の第１ポートと第２ポートとが遮断されることで、第２低圧側導入管（81）が閉鎖状態となる。また、第２四路切換弁（83）の第１ポートと第３ポートとが連通することで、第２吐出導通管（85）から第２流入管（81a）の第３逆止弁（CV-3）に亘って高圧冷媒で満たされる。このため、第２分岐回路（80）に流入した冷媒は、第２流入管（81a）側に送り込まれず、第２中間圧側導入管（82）へ送られる。
【００６８】
第１分岐回路（70）では、上記第１冷却動作と同様にして、冷媒が第１中間圧側導入管（72）へ送られる。第１中間圧側導入管（72）を流出した冷媒は、上記第２中間圧側導入管（82）を流出した冷媒と中間圧側吸入管（43）で合流し、中間圧ポート（39）を通じて圧縮機（31）の圧縮行程の途中に吸入される。
【００６９】
〈第３冷却動作〉
第３冷却動作は、冷蔵ユニット（50）での冷却負荷が比較的大きい場合に実行される。つまり、第３冷却動作は、冷蔵用熱交換器（52）の冷却能力が不足する場合に実行される。
【００７０】
第３冷却動作では、第１四路切換弁（73）及び第２四路切換弁（83）が図５に示す状態に設定される。つまり、第３冷却動作では、冷蔵用熱交換器（52）のガス側端部と圧縮機（31）の低圧ポート（38）とが連通し、且つ冷凍用熱交換器（62）のガス側端部と圧縮機（31）の低圧ポート（38）とが連通する状態となる。
【００７１】
圧縮機（31）で圧縮された冷媒は、室外熱交換器（45）で凝縮した後、冷蔵ユニット（50）及び冷凍ユニット（60）へ送られる。冷蔵ユニット（50）では、冷媒が第１膨張弁（51）で低圧まで減圧され、その後に冷蔵用熱交換器（52）で蒸発する。冷凍ユニット（60）では、冷媒が第２膨張弁（61）で低圧まで減圧され、その後に冷凍用熱交換器（62）で蒸発する。第２冷却動作では、冷蔵用熱交換器（52）及び冷凍用熱交換器（62）の蒸発温度（蒸発圧力）がほぼ等しく且つ上記第２冷却動作よりも低くなる。冷蔵用熱交換器（52）で蒸発した冷媒は、第１分岐回路（70）へ流入し、冷凍用熱交換器（62）で蒸発した冷媒は、第２分岐回路（80）へ流入する。
【００７２】
第１分岐回路（70）では、第１四路切換弁（73）の第１ポートと第２ポートとが連通し、第１低圧側導入管（71）が開放状態となる。これにより、第１中間圧側導入管（72）と第１低圧側導入管（71）とでは、第１低圧側導入管（71）の方が低い圧力となる。このため、第１分岐回路（70）へ流入した冷媒は、第１中間圧側導入管（72）側にほとんど送り込まれず、第１低圧側導入管（71）へ送られる。また、第１中間圧側導入管（72）には、上記の第２逆止弁（CV-2）が設けられている。このため、第２分岐回路（80）側の冷媒が、第２中間圧側導入管（82）を通じて第１分岐回路（70）側へ送り込まれることがない。      
【００７３】
第２分岐回路（80）では、上記第１冷却動作と同様にして、冷媒が第２低圧側導入管（81）へ送られる。第２低圧側導入管（81）を流出した冷媒は、第１低圧側導入管（71）を流出した冷媒と合流し、低圧ポート（38）を通じて圧縮機（31）に吸入される。
【００７４】
−実施形態の効果−
上記実施形態では、蒸発器（52,62）のガス側端部を、圧縮機（31）の低圧ポート（38）及び中間圧ポート（39）に分岐して接続するように分岐回路（70,80）を設け、各分岐回路（70,80）に切換機構としての四路切換弁（73,83）を設けるようにしている。このため、本発明によれば、蒸発器（52,62）のガス側端部と各吸入ポート（38,39）の連通状態を変更することができ、これにより蒸発器（52,62）の蒸発圧力を変更することができる。その結果、各蒸発器（52,62）の冷却能力を比較的簡便に、個別に調節することができる。
【００７５】
また、上記実施形態では、冷蔵用熱交換器（52）や冷凍用熱交換器（62）での目標温度と吸込空気温度の差に基づいて、各蒸発器（52,62）の冷却能力を変更するようにしている。このため、運転状況に応じて各庫内を適切に冷却でき、冷凍装置（10）の信頼性を確保できる。
【００７６】
《その他の実施形態》
上記実施形態については、以下のような構成としてもよい。
【００７７】
上記実施形態では、分岐回路（70,80）の切換機構として四路切換弁（73,83）を用いている。しかしながら、例えば図６に示すように、四路切換弁（73,83）に代えて、開閉自在な切換弁としての開閉弁（78,88）を用いるようにしても良い。この場合、開閉弁（78,88）は、低圧側導入管（71,81）に設けられる。開閉弁（78,88）を開放状態とすることで、蒸発器（52,62）で蒸発した冷媒を圧縮機（31）の低圧ポート（38）へ送ることができ、蒸発器（52,62）の冷却能力を比較的大きくすることができる。また、開閉弁（78,88）を閉鎖状態とすることで、蒸発器（52,62）で蒸発した冷媒を圧縮機（31）の中間圧ポート（39）へ送ることができ、蒸発器（52,62）の冷却能力を比較的小さくすることができる。
【００７８】
また、上記実施形態においては、冷媒回路（52,62）に２つの蒸発器（52,62）を設けているが、冷媒回路（52,62）に３つ以上の蒸発器を設けても良い。また、蒸発器（52,62）は、庫内の冷蔵や冷凍に利用されるものに限らず、例えば室内の冷房に利用されるのもであっても良い。また、上記実施形態では、２つの蒸発器（52,62）に対応するように２つの分岐回路（70,80）を設けているが、これらの蒸発器（52,62）のうちの一方のみに対応して分岐回路を設けても良い。つまり、本発明の分岐回路は、複数の蒸発器のうちの少なくとも１つに対応するものであれば良い。
【００７９】
なお、以上の実施形態は、本質的に好ましい例示であって、本発明、その適用物、あるいはその用途の範囲を制限することを意図するものではない。
【産業上の利用可能性】
【００８０】
以上説明したように、本発明は、冷凍サイクルを行う冷媒回路を備えた冷凍装置に関し、特に複数の蒸発器で冷媒を異温度蒸発させる冷凍サイクルが可能な冷凍装置について有用である。
【図面の簡単な説明】
【００８１】
【図１】図１は、実施形態に係る冷凍装置の概略構成を示す配管系統図である。
【図２】図２は、実施形態に係る冷凍装置の圧縮機の圧縮機構の横断面図である。
【図３】図３は、実施形態に係る冷凍装置の概略構成を示す配管系統図であり、第１冷却動作の冷媒の流れを付与したものである。
【図４】図４は、実施形態に係る冷凍装置の概略構成を示す配管系統図であり、第２冷却動作の冷媒の流れを付与したものである。
【図５】図５は、実施形態に係る冷凍装置の概略構成を示す配管系統図であり、第３冷却動作の冷媒の流れを付与したものである。
【図６】図６は、その他の実施形態に係る冷凍装置の概略構成を示す配管系統図である。
【符号の説明】
【００８２】
10    冷凍装置
11    冷媒回路
31    圧縮機
38    低圧ポート（第１吸入ポート）
39    中間圧ポート（第２吸入ポート）
52    冷蔵用熱交換器（蒸発器）
54    第１吸込空気温度センサ（冷却負荷導出手段）
62    冷凍用熱交換器（蒸発器）
64    第２吸込空気温度センサ（冷却負荷導出手段）
70    第１分岐回路（分岐回路）
71    第１低圧側導入管（低圧側導入管）
71a   第１流入部
71b   第１流出部
72    第１中間圧側導入管（中間圧側導入管）
73    第１四路切換弁（切換弁、切換機構）
76    第１閉塞部（閉塞部）
78    開閉弁（切換弁、切換機構）
80    第２分岐回路（分岐回路）
81    第２低圧側導入管（低圧側導入管）
81a   第２流入部
81b   第２流入部
82    第２中間圧側導入管（中間圧側導入管）
83    第２四路切換弁（切換弁、切換機構）
86    第２閉塞部（閉塞部）
91    第１温度設定部（冷却負荷導出手段）
92    第２温度設定部（冷却負荷導出手段）
【図１】
2010014338.tif 000003
【図２】
2010014338.tif 000004
【図３】
2010014338.tif 000005
【図４】
2010014338.tif 000006
【図５】
2010014338.tif 000007
【図６】
2010014338.tif 000008